(57)【要約】  ＡＢＳ（almost  blank  subframes）を適用するセルラー通信ネットワークにおける効率的なスペクトル利用を提供するためのシステム及び方法が開示される。概して、ネットワークは、ダウンリンクにＡＢＳを適用するアクセスノードを含む。１つの実施形態において、アクセスノードは、サブフレームごとの制御情報を要しないスケジューリング方式を用いてアップリンクのために送信をスケジューリングすべき１つ以上のＵＥを識別する。そして、アクセスノードは、ＵＥのスケジューリングインスタントと、ダウンリンクにおけるＡＢＳの少なくともいくつかに対応するアップリンクにおけるサブフレームとを、時間的に合わせる。他の実施形態において、アクセスノードは、サブフレームごとの制御情報を要しないスケジューリング方式を用いてダウンリンクのために送信をスケジューリングすべきＵＥを識別する。そして、アクセスノードは、ダウンリンクのためのＵＥのスケジューリングインスタントと、ダウンリンクにおけるＡＢＳの少なくともサブセットとを、時間的に合わせる。【選択図】図４
2015500584.tif 000002
【特許請求の範囲】
【請求項１】
セルラー通信ネットワークにおけるアクセスノードの動作方法であって、
前記アクセスノードからのダウンリンクにおいてＡＢＳ（almost  blank  subframes）を適用することと、
サブフレームごとの制御情報を要しないスケジューリング方式を用いて送信をスケジューリングすべき１つ以上のユーザ機器デバイスを識別することと、
前記１つ以上のユーザ機器デバイスのスケジューリングインスタントと、前記ダウンリンクにおける前記ＡＢＳの少なくともいくつかに対応するサブフレームとを、時間的に合わせることと、
を含む方法。
【請求項２】
前記１つ以上のユーザ機器デバイスを識別することは、サブフレームごとの制御情報を要しない前記スケジューリング方式を用いて前記アクセスノードへのアップリンクにおいて送信をスケジューリングすべき１つ以上のユーザ機器デバイスを識別すること、を含み、
前記１つ以上のユーザ機器デバイスの前記スケジューリングインスタントと前記ダウンリンクにおける前記ＡＢＳの前記少なくともいくつかに対応するサブフレームとを時間的に合わせることは、前記１つ以上のユーザ機器デバイスの前記アップリンクのための前記スケジューリングインスタントを、前記ダウンリンクにおける前記ＡＢＳの前記少なくともいくつかに対応する、前記アップリンクにおけるサブフレームと時間的に合わせること、を含む、
請求項１の方法。
【請求項３】
前記ダウンリンクにおける前記ＡＢＳは、前記アップリンクにおける対応するサブフレームのための制御情報を含まない、請求項２の方法。
【請求項４】
前記ダウンリンクにおける前記ＡＢＳの前記少なくともいくつかに対応する前記アップリンクにおける前記サブフレームは、前記ダウンリンクにおける前記ＡＢＳの前記少なくともいくつかから予め定義される時間量の後に起こる前記アップリンクにおけるサブフレームである、請求項２の方法。
【請求項５】
前記ダウンリンクにおける前記ＡＢＳの前記少なくともいくつかに対応する前記アップリンクにおける前記サブフレームは、前記ダウンリンクにおける前記ＡＢＳの前記少なくともいくつかから４個の送信時間インターバルの後に起こる前記アップリンクにおけるサブフレームである、請求項２の方法。
【請求項６】
前記スケジューリング方式は、ＴＴＩバンドリングである、請求項２の方法。
【請求項７】
前記１つ以上のユーザ機器デバイスの前記アップリンクのための前記スケジューリングインスタントを前記ダウンリンクにおける前記ＡＢＳの前記少なくともいくつかに対応する前記アップリンクにおけるサブフレームと時間的に合わせることは、前記１つ以上のユーザ機器デバイスの各ユーザ機器デバイスについて、前記ダウンリンクにおけるＡＢＳに対応する前記アップリンクにおける少なくとも１つのサブフレームを含む前記アップリンクの複数のサブフレームについてＴＴＩバンドルの送信をスケジューリングすること、を含む、請求項６の方法。
【請求項８】
前記アクセスノードは、マクロノードであり、
前記方法は、前記１つ以上のユーザ機器デバイスのうちのユーザ機器デバイスについてのＴＴＩバンドルのスケジューリングに関連する制御情報を、前記セルラー通信ネットワーク内の隣接する低電力ノードへ提供すること、をさらに含む、
請求項６の方法。
【請求項９】
前記隣接する低電力ノードは、前記制御情報を利用して、前記マクロノードへの前記アップリンクにおいて前記ユーザ機器デバイスから前記ＴＴＩバンドルを受信し、ユーザ機器デバイスから前記隣接する低電力ノードへのアップリンクについて干渉除去を実行する、請求項８の方法。
【請求項１０】
前記スケジューリング方式は、半永続的スケジューリング方式である、請求項２の方法。
【請求項１１】
前記１つ以上のユーザ機器デバイスの前記アップリンクのための前記スケジューリングインスタントを前記ダウンリンクにおける前記ＡＢＳの前記少なくともいくつかに対応する前記アップリンクにおけるサブフレームと時間的に合わせることは、前記１つ以上のユーザ機器デバイスの各ユーザ機器デバイスについて、当該ユーザ機器デバイスのための複数の半永続的なスケジューリングインスタントの少なくともサブセットが前記ダウンリンクにおけるＡＢＳに対応する前記アップリンクにおけるサブフレームにスケジューリングされるように、当該ユーザ機器デバイスのための当該複数の半永続的なスケジューリングインスタントをスケジューリングすること、を含む、請求項１０の方法。
【請求項１２】
前記スケジューリング方式は、永続的スケジューリング方式である、請求項２の方法。
【請求項１３】
前記１つ以上のユーザ機器デバイスの前記アップリンクのための前記スケジューリングインスタントを前記ダウンリンクにおける前記ＡＢＳの前記少なくともいくつかに対応する前記アップリンクにおけるサブフレームと時間的に合わせることは、前記１つ以上のユーザ機器デバイスの各ユーザ機器デバイスについて、当該ユーザ機器デバイスのための複数の永続的なスケジューリングインスタントの少なくともサブセットが前記ダウンリンクにおけるＡＢＳに対応する前記アップリンクにおけるサブフレームにスケジューリングされるように、当該ユーザ機器デバイスのための当該複数の永続的なスケジューリングインスタントをスケジューリングすること、を含む、請求項１２の方法。
【請求項１４】
前記１つ以上のユーザ機器デバイスを識別することは、
いかなる隣接ピコノードとも干渉しないと判定される１つ以上の非干渉ユーザ機器デバイスを識別することと、
サブフレームごとの制御情報を要しないスケジューリング方式を用いてダウンリンク送信をスケジューリングすべき１つ以上のユーザ機器デバイスを、前記１つ以上の非干渉ユーザ機器デバイスから識別することと、
を含み、
前記１つ以上のユーザ機器デバイスの前記スケジューリングインスタントと前記ダウンリンクにおける前記ＡＢＳの前記少なくともいくつかに対応するサブフレームとを時間的に合わせることは、前記１つ以上のユーザ機器デバイスの前記ダウンリンクのための前記スケジューリングインスタントを、前記ダウンリンクにおける前記ＡＢＳの前記少なくともいくつかに時間的に合わせること、を含む、
請求項１の方法。
【請求項１５】
前記ダウンリンクにおける前記ＡＢＳの前記少なくともいくつかの送信の期間中に、前記ダウンリンクについて送信電力レベルを低減すること、をさらに含む、請求項１４の方法。
【請求項１６】
前記ダウンリンクにおける前記ＡＢＳは、制御情報を含まない、請求項１４の方法。
【請求項１７】
前記スケジューリング方式は、半永続的スケジューリング方式である、請求項１４の方法。
【請求項１８】
前記１つ以上のユーザ機器デバイスの前記ダウンリンクのための前記スケジューリングインスタントを前記ダウンリンクにおける前記ＡＢＳの前記少なくともいくつかと時間的に合わせることは、前記１つ以上のユーザ機器デバイスの各ユーザ機器デバイスについて、当該ユーザ機器デバイスのための複数の半永続的なスケジューリングインスタントの少なくともサブセットが前記ダウンリンクにおけるＡＢＳにスケジューリングされるように、当該ユーザ機器デバイスのための当該複数の半永続的なスケジューリングインスタントをスケジューリングすること、を含む、請求項１７の方法。
【請求項１９】
前記１つ以上のユーザ機器デバイスの前記ダウンリンクのための前記スケジューリングインスタントを前記ダウンリンクにおける前記ＡＢＳの前記少なくともいくつかと時間的に合わせることは、前記１つ以上のユーザ機器デバイスの各ユーザ機器デバイスについて、当該ユーザ機器デバイスのための複数の永続的なスケジューリングインスタントの少なくともサブセットが前記ダウンリンクにおけるＡＢＳにスケジューリングされるように、当該ユーザ機器デバイスのための当該複数の永続的なスケジューリングインスタントをスケジューリングすること、を含む、請求項１７の方法。
【請求項２０】
前記スケジューリング方式は、永続的スケジューリング方式である、請求項１４の方法。
【請求項２１】
前記アクセスノードは、マクロノードである、請求項１の方法。
【請求項２２】
前記マクロノードのための送信は、隣接する低電力ノードのための送信と同期される、請求項２１の方法。
【請求項２３】
前記アクセスノードは、クローズド加入者グループのフェムトノードである、請求項１の方法。
【請求項２４】
前記クローズド加入者グループのフェムトノードのための送信は、隣接するマクロノードのための送信と同期される、請求項２３の方法。
【請求項２５】
前記ダウンリンクにおける前記ＡＢＳは、予め定義されるＡＢＳパターンに従って配置され、
前記１つ以上のユーザ機器デバイスの前記スケジューリングインスタントと前記ダウンリンクにおける前記ＡＢＳの前記少なくともいくつかに対応するサブフレームとを時間的に合わせることは、前記予め定義されるＡＢＳパターンに従って前記１つ以上のユーザ機器デバイスの前記スケジューリングインスタントをスケジューリングすること、を含む、請求項１の方法。
【請求項２６】
前記１つ以上のユーザ機器デバイスの前記スケジューリングインスタントと前記ダウンリンクにおける前記ＡＢＳの前記少なくともいくつかに対応するサブフレームとを時間的に合わせることは、前記１つ以上のユーザ機器デバイスの前記スケジューリングインスタントが前記ダウンリンクにおける前記ＡＢＳの前記少なくともいくつかに対応するサブフレームに時間的に合うように、前記ダウンリンクにおける前記ＡＢＳについてのＡＢＳパターンを調整すること、を含む、請求項１の方法。
【請求項２７】
セルラー通信ネットワークにおけるアクセスノードであって、
前記アクセスノードによりサービスされるユーザ機器デバイスへダウンリンク及びアップリンクを提供するように適合される送受信サブシステムと、
前記送受信サブシステムに関連付けられる処理サブシステムであって、
前記マクロノードからの前記ダウンリンクにおいてＡＢＳ（almost  blank  subframes）を適用し、
サブフレームごとの制御情報を要しないスケジューリング方式を用いて送信をスケジューリングすべき１つ以上のユーザ機器デバイスを識別し、
前記１つ以上のユーザ機器デバイスのスケジューリングインスタントと、前記ダウンリンクにおける前記ＡＢＳの少なくともいくつかに対応するサブフレームとを、時間的に合わせる、
ように適合される当該処理サブシステムと、
を含むアクセスノード。
【請求項２８】
前記１つ以上のユーザ機器デバイスは、サブフレームごとの制御情報を要しない前記スケジューリング方式を用いて前記アクセスノードへのアップリンクにおいてアップリンク送信をスケジューリングすべき１つ以上のユーザ機器デバイスであり、
前記１つ以上のユーザ機器デバイスの前記スケジューリングインスタントは、前記ダウンリンクにおける前記ＡＢＳの前記少なくともいくつかに対応する前記アップリンクにおけるサブフレームと時間的に合わせられる、前記アップリンクのための前記１つ以上のユーザ機器デバイスのスケジューリングインスタントである、
請求項２７のマクロノード。
【請求項２９】
前記ダウンリンクにおける前記ＡＢＳは、前記アップリンクにおける対応するサブフレームのための制御情報を含まない、請求項２８のマクロノード。
【請求項３０】
前記ダウンリンクにおける前記ＡＢＳの前記少なくともいくつかに対応する前記アップリンクにおける前記サブフレームは、前記ダウンリンクにおける前記ＡＢＳの前記少なくともいくつかから予め定義される時間量の後に起こる前記アップリンクにおけるサブフレームである、請求項２８のマクロノード。
【請求項３１】
前記ダウンリンクにおける前記ＡＢＳの前記少なくともいくつかに対応する前記アップリンクにおける前記サブフレームは、前記ダウンリンクにおける前記ＡＢＳの前記少なくともいくつかから４個の送信時間インターバルの後に起こる前記アップリンクにおけるサブフレームである、請求項２８のマクロノード。
【請求項３２】
前記スケジューリング方式は、ＴＴＩバンドリングである、請求項２８のマクロノード。
【請求項３３】
前記スケジューリング方式は、半永続的スケジューリング方式である、請求項２８のマクロノード。
【請求項３４】
前記スケジューリング方式は、永続的スケジューリング方式である、請求項２８のマクロノード。
【請求項３５】
前記アクセスノードは、マクロノードであり、
前記１つ以上のユーザ機器デバイスは、前記マクロノードのいかなる隣接ピコノードとも干渉しないと判定される、サブフレームごとの制御情報を要しない前記スケジューリング方式を用いてダウンリンク送信をスケジューリングすべき１つ以上のユーザ機器デバイスであり、
前記１つ以上のユーザ機器デバイスの前記スケジューリングインスタントは、前記ダウンリンクにおける前記ＡＢＳの前記少なくともいくつかと時間的に合わせられる、
請求項２７のマクロノード。
【請求項３６】
前記処理サブシステムは、前記ダウンリンクにおける前記ＡＢＳの送信の期間中に、前記ダウンリンクについて送信電力レベルを低減する、ようにさらに適合される、請求項３５のアクセスノード。
【請求項３７】
前記ダウンリンクにおける前記ＡＢＳは、制御情報を含まない、請求項３５のアクセスノード。
【請求項３８】
前記スケジューリング方式は、半永続的スケジューリング方式である、請求項２７のアクセスノード。
【請求項３９】
前記スケジューリング方式は、永続的スケジューリング方式である、請求項２７のアクセスノード。
【請求項４０】
前記アクセスノードは、マクロノードである、請求項２７のアクセスノード。
【請求項４１】
前記マクロノードのための送信は、隣接する低電力ノードのための送信と同期される、請求項４０のアクセスノード。
【請求項４２】
前記アクセスノードは、クローズド加入者グループのフェムトノードである、請求項２７のアクセスノード。
【請求項４３】
前記クローズド加入者グループのフェムトノードのための送信は、隣接するマクロノードのための送信と同期される、請求項４２のアクセスノード。
【発明の詳細な説明】
【技術分野】
【０００１】
本開示は、セルラー通信ネットワークに関し、より具体的には、異種セルラー通信ネットワーク内のアクセスノード（例えば、マクロノード又はＣＳＧ（Closed  Subscriber  Group）フェムトノード）からのダウンリンクにおいてＡＢＳ（almost  blank  subframes）を適用する際の効率的なスペクトル利用に関する。
【背景技術】
【０００２】
ここでヘテロジーニアスネットワーク（ＨｅｔＮｅｔ）として言及される異種セルラー通信ネットワークの配備は、大局的には、セルラーシステムの今後の世代におけるより高いデータレートについての着実に増加する需要を満たすための、最もコスト効率のよい解決策の１つとして理解される。そうした配備は、多様な性質のいくつもの低電力ノード（ＬＰＮ）を含む（例えば、３ＧＰＰ  ＬＴＥ（Long  Term  Evolution）のケースでは、マイクロ、ピコ及びフェムトｅＮｏｄｅＢ）。これらＬＰＮは、従来の同種セルラー通信ネットワークのアーキテクチャを、フラグメント化されたマルチレイヤのアーキテクチャへと変換する。
【０００３】
ＨｅｔＮｅｔは、送信点からの増加する距離に通常由来する信号電力の負担に対して耐性があり、基地局（ＢＳ）（即ち、マクロノード及びＬＰＮ）をユーザ機器デバイス（ＵＥ）のより近くへ移してセルエリアにわたって同等のサービス品質（ＱｏＳ）を提供することにより、距離の逆二乗の法則に逆らうものとしてよく知られている。よって、ＨｅｔＮｅｔの配備は、チャネルキャパシティにより示唆される制限を解決する内在的なケイパビリティを有し、ユーザのロケーションによらないセルエリアにわたる均一なユーザ体験を提供する。カバレッジ及びキャパシティにおけるゲインを導くＨｅｔＮｅｔのポテンシャルは、広く了解されている。その主要な利点又は恩恵を、次のように要約することができる：
・ＢＳをＵＥのより近くへ移すことで、より良好な無線リンク条件が得られ、それにより、ＬＰＮへ接続されたＵＥについてより高いデータレートがもたらされる。
・ＬＰＮセルは、マクロレイヤにより以前にハンドリングされていたＵＥへアクセスを提供するため、マクロセルから負荷が削減されることになり（マクロオフローディングという）、リソースの可用性がより高まり、よってマクロノードへ接続されたユーザについてデータレートがより高まる。
・概して、ＨｅｔＮｅｔの配備は、所与のエリア内で均一なデータレートを提供する。
【０００４】
しかしながら、ＨｅｔＮｅｔアーキテクチャにより導かれる有意な利点があるとしても、解決すべき複数の懸念点も存在する。例えば、送信電力、アクセス権及びバックホールキャパシティといったＬＰＮに関連付けられる多数のパラメータはシステム性能に直接的に影響を与え、ＬＰＮタイプ及びサポートされる特徴の選択をより複雑なタスクにする。決定は、主に、ＬＰＮの追加によって達成すべき目標に依存する（例えば、キャパシティ対データレートの改善、又は双方）。
【０００５】
ＨｅｔＮｅｔにおける異なる電力レベルを有するセルの共存は、システムアクセス及びモビリティ手続に関して複数の実装を有する。マクロ単独の配備では、ＵＥのためのセル選択手続は、一般にリファレンス信号受信電力（ＲＳＲＰ）あるいは受信信号強度（ＲＳＳ）として知られるものに基づく。これは、ＵＥが最も強いＲＳＳを受け取るセルへアタッチすることを意味する。しかしながら、このアクセス手続をＨｅｔＮｅｔで採用することは、アップリンクにおける干渉のシナリオを激化させ、ほとんどのＵＥがマクロセルへ接続しＬＰＮセルはあまり利用されないという負荷のアンバランスな状況をさらにもたらし得る。ＬＴＥでは、マクロセルとフェムトセルとの間の電力の相違は、約２３デシベル／ミリワット（ｄＢｍ）である。これは、ＬＰＮセルへのパスロスのより低いＵＥが依然としてマクロノードからより高いＲＳＲＰを受け取り、従ってＬＰＮよりもむしろマクロノードへ接続することを意味する。これは、アップリンクにおける高い干渉を引き起こし、結果としてマクロセルレイヤ及びＬＰＮセルレイヤ内でＵＥが不均一に分散することとなる。
【０００６】
前述したアンバランスな負荷の課題は、複数の研究のトピックとなってきた。１つの提案された解決策は、“レンジ拡張（Range  Extension）”の概念であり、ＵＥのＬＰＮとの関連付けの決定の際に、ＬＰＮのレンジの模擬的な拡大を提供する。これは、ＵＥがＬＰＮへ関連付けられようとする都度、セルの関連付けの決定のために使用される実際のＲＳＲＰ値に恣意的なオフセット閾値が追加されることを意味する。対照的に、マクロノードのケースでは、関連付けの決定は、ほとんどのケースで実際の受信信号強度に基づく。レンジ拡張（ＲＥ）の概念は、カバレッジエリアにわたるユーザの最適な関連付けを可能とし、それにより向上したシステム性能とマクロセルの負荷低減とが同時にもたらされる。
【０００７】
レンジ拡張の欠点は、スモールセルの拡張されたレンジに位置しＬＰＮへ接続したＵＥがダウンリンクで送信されるダウンリンク制御情報を正確に受信することに困難を経験するであろうことである。具体的には、ＬＴＥについて、ＬＰＮの拡張されたレンジに位置しＬＰＮへ接続したＵＥは、それらＵＥがネガティブなダウンリンクジオメトリを経験することから、物理ダウンリンク制御チャネル（ＰＤＣＣＨ）においてダウンリンク制御情報を正確に受信することに困難を経験するであろう。ＬＰＮにより送信されるＰＤＣＣＨへの高い干渉の作用を最小化するために、ＡＢＳ（Almost  Blank  Subframes）が使用される。マクロノードにおけるＡＢＳの期間中は、マクロノードからデータ送信が無く、ＬＰＮセルへ低干渉の利点が提供される。
【０００８】
マクロノードにおけるＡＢＳの期間中は、マクロノードからの送信はデータ又は制御情報を含まず、但し主に共通リファレンス信号あるいはセル固有リファレンス信号（ＣＲＳ）を含む。これは、マクロノードにおける対応するアップリンクサブフレーム（即ち、ＬＴＥについては４個の送信時間インターバル（ＴＴＩ）後に起こるアップリンクサブフレーム）がデータ送信を有しないであろうことを意味する。なぜなら、ダウンリンク制御情報（ＤＣＩ）（又は概して制御情報）がＡＢＳの期間中にダウンリンクにおいて送信されなかったためである。結果として、リソースは十分に利用されず、キャパシティ及びスペクトル上の効率性における減少がもたらされる。
【発明の概要】
【０００９】
本開示は、ＡＢＳ（almost  blank  subframes）を適用するセルラー通信ネットワークにおける効率的なスペクトル利用を提供するシステム及び方法に関する。好適な実施形態において、セルラー通信ネットワークは、異種セルラー通信ネットワーク（ＨｅｔＮｅｔ）である。１つの実施形態において、ＨｅｔＮｅｔは、アクセスノードから当該アクセスノードによりサービスされるユーザ機器デバイス（ＵＥ）へのダウンリンクにおいてＡＢＳを適用する当該アクセスノードを含む。１つの特定の実施形態において、アクセスノードは、マクロノードである。他の特定の実施形態において、アクセスノードは、クローズド加入者グループ（ＣＳＧ）フェムトセルなどのフェムトノードである。ＡＢＳは、制御情報を含まない。ダウンリンクにおいてＡＢＳを用いる際に効率的なスペクトル利用を提供するために、アクセスノードは、サブフレームごとの制御情報を要しないスケジューリング方式を用いて送信をスケジューリングすべき１つ以上のＵＥを識別する。サブフレームごとの制御情報を要しないいくつかの例示的なスケジューリング方式は、送信時間インターバル（ＴＴＩ）バンドリング、半永続的スケジューリング（ＳＰＳ）、及び永続的スケジューリング（ＰＳ）である。そして、アクセスノードは、１つ以上のＵＥのスケジューリングインスタントと、ダウンリンクにおけるＡＢＳの少なくともいくつかに対応するサブフレームとを、時間的に合わせる。この手法で、通常はＡＢＳ内の制御情報の欠如の結果として送信信号がスケジューリングされないはずであったサブフレームの少なくともいくつかが、１つ以上のＵＥのためのスケジューリングインスタントによって利用される。
【００１０】
１つの実施形態では、アップリンクにて効率的なスペクトル利用を提供するために、アクセスノードは、サブフレームごとの制御情報を要しないスケジューリング方式を用いてアップリンクのために送信をスケジューリングすべき１つ以上のＵＥを識別する。サブフレームごとの制御情報を要しないいくつかの例示的なスケジューリング方式は、ＴＴＩバンドリング、ＳＰＳ及びＰＳである。そして、アクセスノードは、１つ以上のＵＥのスケジューリングインスタントと、ダウンリンクにおけるＡＢＳの少なくともいくつかに対応するアップリンクにおけるサブフレームとを、時間的に合わせる。アップリンクについて、ＡＢＳの少なくともいくつかに対応するアップリンクにおけるサブフレームは、当該ＡＢＳの少なくともいくつかから予め定義される時間量の後にアップリンクにおいて起こるサブフレームである。この手法で、通常はＡＢＳ内の制御情報の欠如の結果として送信信号がスケジューリングされないはずであったアップリンクにおけるサブフレームの少なくともいくつかが、１つ以上のＵＥのためのスケジューリングインスタントによって利用される。
【００１１】
他の実施形態では、ダウンリンクについて効率的なスペクトル利用を提供するために、アクセスノードは、サブフレームごとの制御情報を要しないスケジューリング方式を用いてダウンリンクのために送信をスケジューリングすべき１つ以上のＵＥを識別する。サブフレームごとの制御情報を要しないいくつかの例示的なスケジューリング方式は、ＳＰＳ及びＰＳである。そして、アクセスノードは、ダウンリンクのための１つ以上のＵＥのスケジューリングインスタントと、ダウンリンクにおけるＡＢＳの少なくともサブセットとを、時間的に合わせる。この手法で、通常はスケジューリングされた送信信号をＡＢＳ内の制御情報の欠如の結果として有しないはずであったダウンリンクにおけるＡＢＳの少なくともいくつかが、１つ以上のＵＥのためのスケジューリングインスタントによって利用される。
【００１２】
当業者は、添付図面の図との関連において以下の好適な実施形態の詳細な説明を読んだ後に、本開示の範囲を理解しその追加的な側面を認識するであろう。
【図面の簡単な説明】
【００１３】
本明細書に取り入れられその一部を形成する添付図面の図は、本開示のいくつもの側面を例示しており、その説明と共に、本開示の原理の説明に供される。
【００１４】
【図１】本開示の１つの実施形態に係る、マクロノードと低電力ノード（ＬＰＮ）とを含む異種セルラー通信ネットワーク（ＨｅｔＮｅｔ）を示している。
【図２】図１のマクロノードからのダウンリンクに適用される例示的なＡＢＳ（Almost  Blank  Subframes）を示している。
【図３】ＡＢＳを含むマクロノードからの例示的なダウンリンクとマクロノードへの例示的なアップリンクとを示しており、アップリンクはマクロノードからのダウンリンクにおけるＡＢＳの結果として送信が通常はスケジューリングされないサブフレームを含む。
【図４】本開示の１つの実施形態に係る、図１のマクロノードの、ダウンリンクにおいてＡＢＳを適用する際の、サブフレームごとの制御情報を要しないスケジューリング方式に従って送信がスケジューリングされる１つ以上のユーザ機器デバイス（ＵＥ）についてスケジューリングインスタントを時間的に合わせることにより効率的なスペクトル利用を提供するための動作を示している。
【図５】本開示の１つの実施形態に係る、図１のマクロノードの、ダウンリンクにおいてＡＢＳを適用する際の、アップリンクについて効率的なスペクトル利用を提供するための動作を示している。
【図６】図５の処理の１つの実施形態に係る、１つ以上のＵＥについての送信時間インターバル（ＴＴＩ）バンドルと、ダウンリンクにおけるＡＢＳに対応するアップリンクにおけるサブフレームとの時間合わせをグラフで示している。
【図７】図５の処理の１つの実施形態に係る、１つ以上のＵＥの半永続的な又は永続的なスケジューリングインスタントと、ダウンリンクにおけるＡＢＳに対応するアップリンクにおけるサブフレームとの時間合わせをグラフで示している。
【図８】本開示の１つの実施形態に係る、図１のマクロノードの、ダウンリンクにおいてＡＢＳを適用する際の、ダウンリンクについて効率的なスペクトル利用を提供するための動作を示している。
【図９】図８の処理の１つの実施形態に係る、１つ以上のＵＥの半永続的な又は永続的なスケジューリングインスタントと、ダウンリンクにおけるＡＢＳに対応するダウンリンクにおけるサブフレームとの時間合わせをグラフで示している。
【図１０】本開示の他の実施形態に係る、マクロノードとクローズド加入者グループ（ＣＳＧ）フェムトノードとを含むＨｅｔＮｅｔを示している。
【図１１】本開示の他の実施形態に係る、マクロノード、ＣＳＧフェムトノード及びピコノードを含むＨｅｔＮｅｔを示している。
【図１２】本開示の１つの実施形態に係る、アップリンク干渉除去を提供するＨｅｔＮｅｔを示している。
【図１３】本開示の１つの実施形態に係る、ダウンリンク干渉除去を提供するＨｅｔＮｅｔを示している。
【図１４】本開示の１つの実施形態に係る、マクロノードのブロック図である。
【図１５】本開示の１つの実施形態に係る、フェムトノードのブロック図である。
【図１６】本開示の１つの実施形態に係る、ユーザ機器デバイスマクロノードのブロック図である。
【発明を実施するための形態】
【００１５】
以下に説明する実施形態は、当業者が実施形態を実践することを可能とし及び実施形態を実践する最良の態様を例示するために必要な情報を表現する。添付図面の図を踏まえて以下の説明を読めば、当業者は、本開示の概念を理解し、ここで特段説示されていないそれら概念の応用を認識するであろう。それら概念及び応用は、本開示及び添付の請求項の範囲に入ることが理解されるべきである。
【００１６】
本開示は、ＡＢＳ（almost  blank  subframes）を適用する異種セルラー通信ネットワーク（ＨｅｔＮｅｔ）におけるスペクトルの効率的利用を提供するシステム及び方法に関する。図１は、本開示の１つの実施形態に係る異種セルラー通信ネットワーク１０（これ以降、ＨｅｔＮｅｔ１０）を示している。以下の議論は、ＨｅｔＮｅｔ１０がＬＴＥ（Long  Term  Evolution）標準に従って動作する実施形態に焦点を当てる。しかしながら、ここで議論される概念はＡＢＳを使用する任意のタイプのＨｅｔＮｅｔ１０に適用可能であることに留意されたい。
【００１７】
図示したように、ＨｅｔＮｅｔ１０は、マクロノード１２及び低電力ノード（ＬＰＮ）１４を含む。マクロノード１２は、対応するマクロセル１６へサービスする基地局（例えば、マクロｅＮｏｄｅＢ）である。ＬＰＮ１４もまた基地局だが、マクロノード１２よりも実質的に低い電力レベルで送信を行う。加えて、ＬＰＮ１４は、マクロノード１２とは異なる他の特性（例えば、異なるアンテナ数）を有し得る。ＬＰＮ１４は、例えば、マイクロ、ピコ、又はフェムトｅＮｏｄｅＢであってよい。ＬＰＮ１４は、対応する低電力（ＬＰ）セル１８へサービスする。加えて、ＬＰＮ１４は、ＬＰセル１８を囲む拡大領域２９へサービスする。拡大領域２０は、ＬＰＮ１４へのパスロスがマクロノード１２へのパスロスよりも小さいが、マクロノード１２からの信号の受信強度がＬＰＮ１４からの信号の受信強度よりも大きい領域である。図示した例では、ユーザ機器デバイス（ＵＥ）２２は、マクロセル１６内に位置してマクロノード１２によりサービスされ、ＵＥ２４は拡大領域２０内に位置してＬＰＮ１４によりサービスされる。好適には、マクロノード１２との間の送信は、ＬＰＮ１４との間の送信と同期される。
【００１８】
以下に詳細に議論するように、マクロノード１２は、マクロノード１２からのダウンリンクにおいてＡＢＳを適用する。概して、ＡＢＳは制御情報を含まない。１つの特定の実施形態において、ＡＢＳは、制御情報を含まず、データも含まない。但し、他の実施形態では、ＡＢＳは、制御情報を含まずデータを含まない通常電力ＡＢＳ、又は制御情報は含まないがデータを含む低電力ＡＢＳ、のいずれかであってもよい。低電力ＡＢＳは、干渉を低減するために低い送信電力で送信される。ＡＢＳによって、特に、拡大領域２０内に位置するＵＥ２４などのＵＥについての干渉が低減されるという利点が提供される。低減された干渉は、拡大領域２０内に位置するＵＥ２４などのＵＥの、ＬＰＮ１４からの物理ダウンリンク制御チャネル（ＰＤＣＣＨ）を成功裏に受信する能力を改善する。
【００１９】
図２は、マクロノード１２からのダウリンクにおける例示的なＡＢＳを示している。この例において、ＡＢＳ内ではデータ及び制御情報は送信されない。例えば、ＬＴＥについて、ＡＢＳは、物理ダウンリンク共有チャネル（ＰＤＳＣＨ）上で送信される又はダウンリンク制御情報（ＤＣＩ）チャネル上で送信される制御情報のいかなるものも含まない。結果として、拡大領域２０内に位置するＵＥ２４などのＵＥへの干渉は、マクロノード１２からのダウンリンクにおけるＡＢＳの期間中に実質的に低減される。しかしながら、マクロノード１２からのダウンリンクにおけるＡＢＳの使用は、通常、スペクトルの非効率、並びに、マクロノード１２へのアップリンク及びいくつかの実装におけるダウンリンクそのものの双方における減少したキャパシティ、という結果となる。
【００２０】
より具体的には、図３は、ＡＢＳを含むマクロノード１２における例示的なダウンリンク（ＤＬ）送信パターンと、対応するマクロノード１２における例示的なアップリンク（ＵＬ）とを示している。ＡＢＳは、制御情報を含まず、データも含まない。図示したように、ダウンリンクは、あるＡＢＳパターンに従って配置された、ある数のＡＢＳを含む。図示したＡＢＳパターンは、例示的であることに留意されたい。いかなる所望のＡＢＳパターンが使用されてもよい。ダウンリンクにおけるＡＢＳは制御情報を含まないため（即ち、ＬＴＥについては、ＡＢＳは、ＰＤＣＣＨ、物理ハイブリッドＡＲＱインジケータチャネル（ＰＨＩＣＨ）及び物理制御フォーマットインジケータチャネル（ＰＣＦＩＣＨ）を包含するＤＣＩを含まない）、ＡＢＳは、対応するアップリンクのサブフレームにおける送信をスケジューリングするための制御情報を含まない。結果として、対応するアップリンクのサブフレームに送信はスケジューリングされない。図示したように、ＬＴＥについては、アップリンクにおける対応するサブフレームとは、ＡＢＳから４個の送信時間インターバル（ＴＴＩ）後に起こるサブフレームである。
【００２１】
図２及び図３に例示したように、通常、ダウンリンクにおいてＡＢＳを用いる際、スペクトルの非効率性が存在し、それはダウンリンクにおいてはＡＢＳそのものに起因し、アップリンクにおいてはダウンリンクにおけるＡＢＳの結果として送信がスケジューリングされないサブフレームに起因する。図４は、本開示の１つの実施形態に係る、図１のマクロノード１２の動作を示すフローチャートである。概して、ダウンリンクにおいてＡＢＳを用いる際、マクロノード１２は、通常はＡＢＳ内の制御情報の欠如に起因して送信信号を含まないはずであったダウンリンク／アップリンクにおける対応するサブフレームの少なくともいくつかを、毎送信サブフレームの制御情報を要しないスケジューリング方式に従ってスケジューリングされる送信で埋める（fill）ように動作する。
【００２２】
図示したように、マクロノード１２は、ダウンリンクへＡＢＳを適用する（ステップ１００）。ＡＢＳは、所望のＡＢＳパターンに従ってダウンリンクに配置される。ＡＢＳパターンは、予め定義され又は予め決定されるＡＢＳパターンであってもよい。その代わりに、マクロノード１２は、以下に議論されるようにＡＢＳパターンを調整してもよい。加えて、マクロノード１２は、サブフレームごとの制御情報を要しないスケジューリング方式を用いて送信がスケジューリングされるべき１つ以上のＵＥを識別する（ステップ１０２）。なお、ステップ１００及びステップ１０２の順序は逆であってもよい。１つの実施形態において、上記スケジューリング方式は、ＴＴＩバンドリングである。ＴＴＩバンドリングについて、ＵＥへの単一の送信グラントはＴＴＩバンドル全体についてのグラントであり、ＴＴＩバンドルは、ＬＴＥについては４個の連続するＴＴＩであって、４個の連続するサブフレームと等価である。よって、上で議論したように、ＴＴＩバンドリングは、ダウンリンクにおけるＡＢＳに対応するサブフレームと重複するＴＴＩバンドルをスケジューリングするために使用され得る。他の実施形態において、上記スケジューリング方式は、半永続的（semi-persistent）スケジューリング方式又は永続的（persistent）スケジューリング方式であり、この場合、ＵＥへの単一の送信グラントは、定義される周期性において１つ以上のサブフレームにわたる送信についての許可である。なお、ＴＴＩバンドリング、半永続的スケジューリング（ＳＰＳ）及び永続的スケジューリング（ＰＳ）は、ＬＴＥについて使用されることのできる、適したスケジューリング方式である。しかしながら、他の標準に従ってＨｅｔＮｅｔ１０が動作する場合には、これら種類のスケジューリング方式及び潜在的な他の適したスケジューリング方式が使用されてよい。
【００２３】
最後に、マクロノード１２は、ステップ１０２において識別した１つ以上のＵＥのためのスケジューリングインスタント（scheduling  instants）と、マクロノード１２からのダウンリンクにおけるＡＢＳの少なくともいくつかに対応するサブフレームとを、時間的に合わせる（time-align）（ステップ１０４）。より具体的には、ＴＴＩバンドリングについては、ＵＥのためのＴＴＩバンドルが、ダウンリンクにおけるＡＢＳに対応するアップリンク／ダウンリンクにおけるサブフレームに時間的に配列される。同様に、ＳＰＳ又はＰＳについては、ＵＥのための周期的なスケジューリングインスタントが、マクロノード１２からのダウンリンクにおけるＡＢＳに対応するアップリンク／ダウンリンクにおけるサブフレームに時間的に配列される。１つの実施形態において、時間合わせは、予め定義され又は予め決定されるＡＢＳパターンにおけるＡＢＳに時間的に合うように、１つ以上のＵＥのための送信をスケジューリングすることにより実行される。
【００２４】
図５は、ダウンリンクにおいてＡＢＳを適用する際の、本開示の１つの実施形態に係る、図１のマクロノードのアップリンクについて効率的なスペクトル利用を提供するための動作を示すフローチャートである。概して、ダウンリンクにおいてＡＢＳを用いる際、マクロノード１２は、通常はＡＢＳ内の制御情報の欠如に起因して送信信号を含まないはずであったアップリンクにおける対応するサブフレームの少なくともいくつかを、送信のサブフレームごとの制御情報を要しないスケジューリング方式に従ってスケジューリングされる送信（即ち、スケジューリングインスタント）で埋めるように動作する。
【００２５】
図示したように、マクロノード１２は、ダウンリンクへＡＢＳを適用する（ステップ２００）。ＡＢＳは、所望のＡＢＳパターンに従ってダウンリンクに配置される。ＡＢＳパターンは、予め定義され又は予め決定されるＡＢＳパターンであってもよい。その代わりに、マクロノード１２は、以下に議論されるようにＡＢＳパターンを調整してもよい。加えて、マクロノード１２は、サブフレームごとの制御情報を要しないスケジューリング方式を用いてアップリンク送信がスケジューリングされるべき１つ以上のＵＥを識別する（ステップ２０２）。言い換えれば、上記スケジューリング方式は、アップリンクにおける対応するサブフレームのための送信をスケジューリングするための制御情報をダウンリンクの全てのサブフレームが含むことを要しない、任意のタイプのスケジューリング方式である。なお、ステップ２００及びステップ２０２の順序は逆であってもよい。
【００２６】
より具体的には、１つの実施形態において、上記スケジューリング方式は、ＴＴＩバンドリングである。ＴＴＩバンドリングについて、ＵＥへの単一の送信グラントはＴＴＩバンドル全体についてのグラントであり、ＴＴＩバンドルは、ＬＴＥについては４個の連続するＴＴＩ（即ち、４個の連続するサブフレーム）である。よって、ＴＴＩバンドリングは、ダウンリンクにおけるＡＢＳに対応するサブフレームと重複するＴＴＩバンドルをアップリンクにおいてスケジューリングするために使用され得る。他の実施形態において、上記スケジューリング方式は、半永続的スケジューリング方式又は永続的スケジューリング方式であり、この場合、アップリンクについてのＵＥへの単一の送信グラントは、定義される周期性においてアップリンクにおける１つ以上のサブフレームにわたる送信についての許可である。なお、ＴＴＩバンドリング、ＳＰＳ及びＰＳは、ＬＴＥについて使用されることのできる、適したスケジューリング方式である。しかしながら、他の標準に従ってＨｅｔＮｅｔ１０が動作する場合には、これら種類のスケジューリング方式及び潜在的な他の適したスケジューリング方式が使用されてよい。
【００２７】
最後に、マクロノード１２は、ステップ１０２において識別した１つ以上のＵＥのためのアップリンクにおけるスケジューリングインスタントと、マクロノード１２からのダウンリンクにおけるＡＢＳの少なくともいくつかに対応するアップリンクにおけるサブフレームとを、時間的に合わせる（ステップ２０４）。ダウンリンクにおけるＡＢＳに対応するアップリンクにおけるサブフレームは、ダウンリンクにおける対応する当該ＡＢＳから予め定義される時間量の後にアップリンク内で起こる、アップリンクにおけるサブフレームである。ＬＴＥについては、アップリンクにおける対応するサブフレームは、ダウンリンクにおけるＡＢＳから４個のＴＴＩ又は４個のサブフレームの後にアップリンク内で起こるサブフレームである。より具体的には、ＴＴＩバンドリングについては、ＵＥのためのＴＴＩバンドルが、ダウンリンクにおけるＡＢＳに対応するアップリンクにおけるサブフレームに時間的に配列される。なお、ＴＴＩバンドリングを用いる場合、マクロノード１２は、ＴＴＩバンドリングを用いることになっているＵＥを識別し、そして所望の重み付け又は優先順位づけ方式を用いてそれらＵＥのための送信（即ち、スケジューリングインスタント）をスケジューリングし得る。重み付け又は優先順位づけ方式は、例えば、送信されるべきデータの種類を考慮し得る。ＳＰＳ又はＰＳについては、ＵＥのための周期的なスケジューリングインスタントが、マクロノード１２からのダウンリンクにおけるＡＢＳに対応するアップリンクにおけるサブフレームに時間的に配列される。１つの実施形態において、ＡＢＳパターンが予め決定され、時間合わせは、予め決定される当該ＡＢＳパターンにおけるＡＢＳのうちの少なくともいくつかに対応するアップリンクにおけるサブフレームにスケジューリングインスタントを時間的に合わせることにより実行される。他の実施形態において、ＡＢＳパターンは調整可能であり、時間合わせは、ダウンリンクにおけるＡＢＳのうちの少なくともいくつかに対応するアップリンクにおけるサブフレームとのスケジューリングインスタントの時間合わせが達成されるようにＡＢＳパターンを調整することにより実行される。
【００２８】
図６は、図５の処理の１つの実施形態に係る、１つ以上のＵＥについてのＴＴＩバンドルと、マクロノード１２からのダウンリンクにおけるＡＢＳに対応するマクロノード１２へのアップリンクにおけるサブフレームとの時間合わせをグラフで示している。図示したように、マクロノード１２からのダウンリンク（ＤＬ）は一連のサブフレームを含み、そこに含まれる１番目のサブフレームは、アップリンク（ＵＬ）におけるＴＴＩバンドルをスケジューリングする制御情報（例えば、ＤＣＩ）を伴う通常の送信信号を含む。ダウンリンクにおける１番目のサブフレームに、３個のＡＢＳが続く。具体的には、ダウンリンクのサブフレーム０はアップリンクにおけるＴＴＩバンドルをスケジューリングする制御情報を含む通常の送信である。ダウンリンクのサブフレーム１、２及び３は、ＡＢＳである。制御情報の結果として、ＴＴＩバンドル（即ち、ＬＴＥについては、同じデータを送信する４個の連続するサブフレーム）が、アップリンクのサブフレーム４で開始しサブフレーム７まで続けて、アップリンクにおいて送信される。
【００２９】
通常は、ダウンリンクのサブフレーム１、２及び３におけるＡＢＳは、アップリンクのサブフレーム５、６及び７に送信がスケジューリングされない結果となったであろう。しかしながら、適切にＴＴＩバンドルをスケジューリングすることにより、ＴＴＩバンドルがアップリンクのサブフレーム５、６及び７に重複する。言い換えれば、ＴＴＩバンドルを適切にスケジューリングすることにより、ダウンリンクにおけるＡＢＳの結果として使用されないはずであったアップリンク内のサブフレームが、今やＴＴＩバンドルの送信のために使用される。この手法で、マクロノード１２は、マクロノード１２からのダウンリンクにおいてＡＢＳを用いる際に、マクロノード１２へのアップリンクにおける効率的なスペクトル利用を提供する。
【００３０】
図７は、図５の処理の他の実施形態に係る、１つ以上のＵＥの半永続的な又は永続的なスケジューリングインスタントと、マクロノード１２からのダウンリンクにおけるＡＢＳに対応するマクロノード１２へのアップリンクにおけるサブフレームとの時間合わせをグラフで示している。図示したように、マクロノード１２からのダウンリンク（ＤＬ）は、一連のサブフレームを含む。具体的には、ダウンリンクのサブフレーム０、１及び２は、ＡＢＳである。通常は、ダウンリンクのサブフレーム０、１及び２におけるＡＢＳは、アップリンク（ＵＬ）のサブフレーム４、５及び６に送信がスケジューリングされない結果となったであろう。しかしながら、半永続的スケジューリング方式又は永続的スケジューリング方式に従ってスケジューリングされる半永続的な送信又は永続的な送信が、アップリンクのサブフレーム４、５及び６に時間的に合わせられる。言い換えれば、ダウンリンクにおけるＡＢＳの結果として使用されないはずであったアップリンクにおけるサブフレームは、半永続的スケジューリング又は永続的スケジューリングを用いてスケジューリングされるＵＥの送信インスタントを用いることで、今やＵＥの送信インスタントのために使用される。この手法で、マクロノード１２は、マクロノード１２からのダウンリンクにおいてＡＢＳを用いる際に、マクロノード１２へのアップリンクにおける効率的なスペクトル利用を提供する。
【００３１】
図８は、ダウンリンクにおいてＡＢＳを適用する際の、本開示の１つの実施形態に係る、図１のマクロノードのダウンリンクについて効率的なスペクトル利用を提供するための動作を示すフローチャートである。上で議論したように、ＡＢＳは、制御情報を含まない。加えて、本実施形態については、ＡＢＳは、好適にはデータを含まない。概して、ダウンリンクにおいてＡＢＳを用いる際、マクロノード１２は、ダウンリンクにおけるＡＢＳの少なくともいくつかを、送信のサブフレームごとの制御情報を要しないスケジューリング方式に従ってスケジューリングされるデータ送信（即ち、スケジューリングインスタント）で埋めるように動作する。
【００３２】
図示したように、マクロノード１２は、ダウンリンクへＡＢＳを適用する（ステップ３００）。ＡＢＳは、所望のＡＢＳパターンに従ってダウンリンクに配置される。あらためて言うと、ＡＢＳパターンは、予め定義され又は予め決定されるＡＢＳパターンであってもよい。その代わりに、マクロノード１２は、以下に議論されるようにＡＢＳパターンを調整してもよい。加えて、マクロノード１２は、ＬＰＮ１４といったいかなる隣接ＬＰＮとも干渉しないと判定される１つ以上のＵＥを識別する（ステップ３０２）。例えば、干渉しないと判定される上記ＵＥとは、例えば信号の受信強度により判定されるような、マクロノード１２の近傍に位置するＵＥであってよい（例えば、マクロノード１２からのダウンリンクについての、予め定義される閾値よりも大きい信号の受信強度を有する、など）。他の例として、干渉しないと判定される上記ＵＥとは、例えば信号の受信強度により判定されるような、ＬＰＮ１４から遠方に位置するＵＥであってよい（例えば、ＬＰＮ１４からのダウンリンクについての、予め定義される閾値よりも小さい信号の受信強度を有する、など）。
【００３３】
ステップ３０２において識別された非干渉（non-interfering）ＵＥの中から、マクロノード１２は、サブフレームごとの制御情報を要しないスケジューリング方式を用いてダウンリンク送信をスケジューリングすべき１つ以上のＵＥを識別する（ステップ３０４）。１つの実施形態において、上記スケジューリング方式は、ＳＰＳ、ＰＳ又は類似のスケジューリング方式である。現在のところＬＴＥはダウンリンクについてＴＴＩバンドリング提供していないことに留意されたい。しかしながら、ＴＴＩバンドリングをダウンリンクにおいて提供する標準に従ってＨｅｔＮｅｔ１０が動作するのであれば、上記スケジューリング方式は、ＴＴＩバンドリングであってもよい。なお、ステップ３００、３０２及び３０４の順序は変更されてもよい（例えば、ステップ３０２及び３０４は、ステップ３００の前に実行されてもよい）。
【００３４】
次に、マクロノードは、ステップ３０４において識別した１つ以上のＵＥについてのスケジューリングインスタントを、マクロノード１２からのダウンリンクにおけるＡＢＳの少なくともいくつかに時間的に合わせる（ステップ３０６）。より具体的には、ＳＰＳ又はＰＳについて、ＵＥのための周期的なスケジューリングインスタントは、マクロノード１２からのダウンリンクにおけるＡＢＳの少なくともいくつかと時間的に合わせられる。最後に、マクロノード１２は、ダウンリンクにおけるＡＢＳに時間合わせされたＵＥのスケジューリングインスタントの送信の期間中に、ダウンリンクについて送信電力レベルを低減する（ステップ３０８）。特筆すべきこととして、送信電力を低減する際、マクロノード１２は、好適には、低減された送信電力をＵＥへ通知する。この通知は、例えば、無線リソース制御（ＲＲＣ）シグナリングを介して提供され得る。他の例として、ＵＥは、様々な電力レベルで動作する予め定義される送信モードを有してもよく、その場合、マクロノード１２は、ＵＥ固有リファレンス信号を介して送信電力レベルをＵＥへ通知し得る。
【００３５】
図９は、図８の処理の１つの実施形態に係る、１つ以上のＵＥの半永続的な又は永続的なスケジューリングインスタントと、マクロノード１２からのダウンリンクにおけるＡＢＳとの時間合わせをグラフで示している。図示したように、マクロノード１２からのダウンリンク（ＤＬ）は、サブフレーム群を含む。具体的には、この例において、ダウンリンクのサブフレーム０及び４はＡＢＳであり、通常はデータを含まず制御情報を含まない。但し、半永続的スケジューリング方式又は永続的スケジューリング方式に従ってスケジューリングされる半永続的な送信又は永続的な送信が、ダウンリンクのサブフレーム３から６に時間合わせされ、それにより、サブフレーム４のＡＢＳの期間中にデータが送信される。言い換えれば、ＡＢＳである結果として使用されないはずであったダウンリンクにおけるサブフレーム４は、半永続的スケジューリング又は永続的スケジューリングを用いてスケジューリングされるＵＥの送信インスタントを用いることで、今やＵＥの送信インスタントのために使用される。この手法で、マクロノード１２は、マクロノード１２からのダウンリンクにおいてＡＢＳを用いる際に、マクロノード１２からのダウンリンクにおける効率的なスペクトル利用を提供する。
【００３６】
図１０は、本開示の他の実施形態に係るＨｅｔＮｅｔ２６を示している。本実施形態において、ＨｅｔＮｅｔ２６は、対応するマクロセル３０へサービスするマクロノード１２、及び対応するＣＳＧフェムトセル３４（これ以降、フェムトセル３４）内の加入者へサービスするクローズド加入者グループ（ＣＳＧ）フェムトノード３２（これ以降、フェムトノード３２）を含む。図示した例では、ＵＥ３６はフェムトノード３２の加入者であり、そのためＵＥ３６はフェムトノード３２によりサービスされる。一方、ＵＥ３８は、フェムトノード３２の加入者ではなく、そのためＵＥ３８はマクロノード２８によりサービスされる。従って、マクロノード２８は、フェムトノード３２の加入者ではないフェムトセル３４内のＵＥ、及び、そうではなくマクロセル３０内に位置するＵＥ４０といったＵＥへ、サービスするように動作する。好適には、マクロノード２８との間の送信は、フェムトノード３２との間の送信と同期される。
【００３７】
本実施形態において、フェムトノード３２は、フェムトノード３２からフェムトセル３４内に位置するフェムトノード３２の加入者へのダウンリンクにおいてＡＢＳを適用する。１つの実施形態において、フェムトノード３２は、図４〜図６の観点で上で説明した処理を用いて、サブフレームごとの制御情報を要しないスケジューリング方式に従ってスケジューリングされるスケジューリングインスタントと、フェムトノード３２からのダウンリンクにおけるＡＢＳに対応するフェムトノード３２へのアップリンクにおけるサブフレームとを、時間的に合わせる。上で議論したように、上記スケジューリング方式は、ＴＴＩバンドリング、ＳＰＳ又はＰＳなどであってよい。そのため、フェムトノード３２からのダウンリンクにおけるＡＢＳの結果として送信がスケジューリングされないはずであったフェムトノード３２へのアップリンクにおけるサブフレームが使用され、それにより、フェムトノード３２のスペクトル効率が改善される。それに加えて又はその代わりに、フェムトノード３２は、図８及び図９の観点で上で説明した処理を用いて、サブフレームごとの制御情報を要しないスケジューリング方式に従ってスケジューリングされるダウンリンクのためのスケジューリングインスタントと、フェムトノード３２からのダウンリンクにおけるＡＢＳのうちの少なくともいくつかとを、時間的に合わせてもよい。上で議論したように、上記スケジューリング方式は、ＴＴＩバンドリング、ＳＰＳ又はＰＳなどであってよい。そのため、データを含まないはずであったダウンリンクにおけるＡＢＳの少なくともいくつかが使用され、それにより、フェムトノード３２のスペクトル効率が改善される。
【００３８】
図１１は、本開示の他の実施形態に係るＨｅｔＮｅｔ４２を示している。本実施形態において、ＨｅｔＮｅｔ４２は、対応するマクロセル４６へサービスするマクロノード４４と、対応するＣＳＧフェムトセル５０（これ以降、フェムトセル５０）内の加入者へサービスするＣＳＧフェムトノード４８（これ以降、フェムトノード４８）と、対応するピコセル５４及び拡大領域５６へサービスするピコノード５２とを含む。図示した例では、ＵＥ５８はフェムトノード４８の加入者であり、そのためＵＥ５８はフェムトノード４８によりサービスされる。一方、ＵＥ６０は、フェムトノード４８の加入者ではなく、そのためＵＥ６０はマクロノード４４によりサービスされる。ＵＥ６２は、ピコセル５４内に位置し、従ってピコノード５２によりサービスされる。マクロノード４４は、フェムトノード４８の加入者ではないフェムトセル５０内のＵＥ、及び、そうではなくマクロセル４６の内部ではあるがピコノード５２のピコセル５４及び拡大領域５６の外部に位置するＵＥ６４といったＵＥへ、サービスするように動作する。好適には、マクロノード４４との間の送信は、フェムトノード４８との間の送信、及びピコノード５２との間の送信と同期される。
【００３９】
本実施形態において、フェムトノード４８は、フェムトノード４８からフェムトセル５０内に位置するフェムトノード４８の加入者へのダウンリンクにおいてＡＢＳを適用する。１つの実施形態において、フェムトノード４８は、図４〜図６の観点で上で説明した処理を用いて、サブフレームごとの制御情報を要しないスケジューリング方式に従ってスケジューリングされるスケジューリングインスタントと、フェムトノード４８からのダウンリンクにおけるＡＢＳに対応するフェムトノード４８へのアップリンクにおけるサブフレームとを、時間的に合わせる。上で議論したように、上記スケジューリング方式は、ＴＴＩバンドリング、ＳＰＳ又はＰＳなどであってよい。そのため、フェムトノード４８からのダウンリンクにおけるＡＢＳの結果として送信がスケジューリングされないはずであったフェムトノード４８へのアップリンクにおけるサブフレームが使用され、それにより、フェムトノード４８のスペクトル効率が改善される。それに加えて又はその代わりに、フェムトノード４８は、図８及び図９の観点で上で説明した処理を用いて、サブフレームごとの制御情報を要しないスケジューリング方式に従ってスケジューリングされるダウンリンクのためのスケジューリングインスタントと、フェムトノード４８からのダウンリンクにおけるＡＢＳのうちの少なくともいくつかとを、時間的に合わせてもよい。上で議論したように、上記スケジューリング方式は、ＴＴＩバンドリング、ＳＰＳ又はＰＳなどであってよい。そのため、データを含まないはずであったダウンリンクにおけるＡＢＳの少なくともいくつかが使用され、それにより、フェムトノード４８のスペクトル効率が改善される。
【００４０】
図１２は、本開示の１つの実施形態に係る、アップリンク干渉除去（interference  cancellation）を提供するＨｅｔＮｅｔを示している。図示したように、当該ＨｅｔＮｅｔは、対応するマクロセルへサービスするマクロノードと、ＬＰＮセルへサービスするＬＰＮと、ＵＥ群、即ちＵＥ１及びＵＥ２とを含む。マクロノードは、当該マクロノードへのアップリンクにおけるＵＥ２についての送信をスケジューリングするために、ＵＥ２へＰＤＣＣＨ情報を送信する（ステップ４００）。好適には、ＰＤＣＣＨは、マクロノードへのアップリンクにおいてＵＥ２のためにＴＴＩバンドルをスケジューリングする。但し、例えばＳＰＳ又はＰＳといった他の種類のスケジューリングが使用されてもよい。加えて、マクロノードは、ノード間通信インタフェース（例えば、Ｘ２インタフェース又は他のバックホールネットワークインタフェース）を介して、ＵＥ２についてのＰＤＣＣＨ情報をＬＰＮへ送信する（ステップ４０２）。その後、ＵＥ２は、マクロノードへのアップリンクのスケジューリングされたリソースを用いて、送信信号を送信する（ステップ４０４）。あらためて言うと、好適には、当該送信信号は、マクロノードへのアップリンクのスケジューリングされたリソースを用いたＴＴＩバンドルである。同時に、ＵＥ１は、ＬＰＮへのアップリンクの同じリソースを用いて、ＬＰＮへデータを送信する（ステップ４０６）。
【００４１】
ＵＥ１からＬＰＮへの送信について干渉を除去するために、ＬＰＮは、ＵＥ１からのアップリンク送信信号を記憶する（ステップ４０８）。加えて、ＬＰＮは、マクロノードへのアップリンクにおけるＵＥ２からの送信信号を受信し、当該送信信号を処理して、ＵＥ１からのアップリンク送信において引き起こされる干渉を除去するための干渉除去用の１つ以上のパラメータをトレーニングする（ステップ４１０）。より具体的には、好適には、ＵＥ２からの送信信号はＴＴＩバンドルである。ＴＴＩバンドルは、同じデータの４回の送信を含み、但し４回の送信は異なるように符号化される（即ち、符号化利得を得るための、増分冗長法（Incremental  Redundancy））。ＬＰＮがＴＴＩバンドルの１回目の送信信号を正確に復号できるならば、ＬＰＮは、同じ物理リソースブロックを使用し但し異なる既知の符号化を用いるＴＴＩバンドル内の残りの送信信号を用いて、干渉除去用のパラメータをトレーニングし得る。しかしながら、ＬＰＮがデータを成功裏に復号するために送信信号の１番目、２番目又は３番目までも必要とする場合でも、この同じ処理が使用されてよく、成功裏の復号の後の残りの送信信号が干渉除去用のパラメータをトレーニングするために使用される。同様の処理が、ＳＰＳ又はＰＳを用いて干渉除去をトレーニングするために使用されてもよい。最後に、ＬＰＮは、ステップ４１０において判定されたパラメータを用いて、記憶されているＵＥ１からのアップリンク送信信号について干渉除去を実行する（ステップ４１２）。この手法で干渉除去が実行されて、ＵＥ２からマクロノードへのアップリンク送信により引き起こされるＵＥ１からＬＰＮへのアップリンク送信における干渉が除去され、又は少なくとも実質的に除去される。
【００４２】
図１３は、本開示の１つの実施形態に係る、ダウンリンク干渉除去を提供するＨｅｔＮｅｔを示している。図示したように、当該ＨｅｔＮｅｔは、対応するマクロセルへサービスするマクロノードと、ＬＰＮセルへサービスするＬＰＮと、ＵＥ群、即ちＵＥ１及びＵＥ２とを含む。マクロノードは、当該マクロノードへのダウンリンクにおけるＵＥ２についての反復的なダウンリンク送信（例えば、ＴＴＩバンドル又はＡＲＱ再送信）に関するＰＤＣＣＨ情報を、ＵＥ２へ送信する（ステップ５００）。加えて、マクロノードは、ノード間通信インタフェース（例えば、Ｘ２インタフェース又は他のバックホールネットワークインタフェース）を介して、ＵＥ２についてのＰＤＣＣＨ情報をＬＰＮへ送信する（ステップ５０２）。そして、ＬＰＮは、ＵＥ２についての当該ＰＤＣＣＨ情報を、例えばＲＲＣシグナリングを介してＵＥ１へ送信する（ステップ５０４）。その後、マクロノードは、マクロノードからのダウンリンクのスケジューリングされたリソースを用いて、ＵＥ１への送信を行う（ステップ５０６）。同時に、ＬＰＮは、ＬＰＮからのダウンリンクの同じリソースを用いて、ＵＥ１へデータを送信する（ステップ５０８）。
【００４３】
ＬＰＮからＵＥ１へのダウンリンク送信について干渉を除去するために、ＵＥ１は、ＬＰＮからのダウンリンク送信信号を記憶する（ステップ５１０）。加えて、ＵＥ１は、ＬＰＮから受信したＰＤＣＣＨ情報を用いてＵＥ２へのマクロノードからのダウンリンク送信信号を受信し、当該ダウンリンク送信信号を処理して、干渉除去用の１つ以上のパラメータをトレーニングする（ステップ５１２）。ここで、干渉除去は、ＵＥ２へのダウンリンク送信から由来する、ＵＥ１へのダウンリンク送信における干渉を除去するためのものである。最後に、ＵＥ１は、ステップ５１２において判定されたパラメータを用いて、記憶されているＬＰＮからのダウンリンク送信信号について干渉除去を実行する（ステップ５１４）。この手法で干渉除去が実行されて、マクロノードからＵＥ２へのダウンリンク送信により引き起こされるＬＰＮからＵＥ１へのダウンリンク送信における干渉が除去され、又は少なくとも実質的に除去される。
【００４４】
図１４は、本開示の１つの実施形態に係る、マクロノード６６のブロック図である。マクロノード６６は、図１のマクロノード１２、図１０のマクロノード２８、又は図１１のマクロノード４４であってよい。マクロノード６６は、送受信サブシステム６８、ノード間通信インタフェース７０及び処理サブシステム７２を含む。送受信サブシステム６８は、概して、マクロノード６６のマクロセルの範囲内のＵＥとの間で通信信号を送受信するための、アナログの、及びいくつかの実施形態ではデジタルのコンポーネント群を含む。ノード間通信インタフェース７０は、概して、他のノード（即ち、他のマクロノード、並びにいくつかの実施形態では隣接するピコノード及び／又は隣接するフェムトノード）との間で通信信号を送受信するための、アナログの、及びいくつかの実施形態ではデジタルのコンポーネント群を含む。通信プロトコルの視点からは、送受信サブシステム６８及びノード間通信インタフェース７０は、少なくともレイヤ１（即ち、物理あるいは“ＰＨＹ”レイヤ）の一部を実装する。処理サブシステム７２は、概して、レイヤ１の任意の残りの部分に加えて、無線通信プロトコルの上位レイヤのための機能（例えば、レイヤ２（データリンクレイヤ）、レイヤ３（ネットワークレイヤ）など）を実装する。当然ながら、機能的なプロトコルレイヤの各々、よって送受信サブシステム６８、ノード間通信インタフェース７０、及び処理サブシステム７２についての詳細な動作は、特定の実装に加えてマクロノード６６によりサポートされる１つ以上の標準の双方に依存して変わるであろう。いくつかの実施形態では、処理サブシステム７２は、概して、上で説明したように、スケジューリングインスタントを、ダウリンクにおけるＡＢＳに対応するアップリンクにおけるサブフレームと時間的に合わせ、及び／又は、ダウンリンクにおけるスケジューリングインスタントを、ダウンリンクにおけるＡＢＳと時間的に合わせるように動作する。
【００４５】
当業者は、マクロノード６６のブロック図が、本開示の完全な理解のために必要ではない数多くの特徴をやむを得ず省略していることを理解するであろう。例えば、処理サブシステム７２の詳細の全てが図示されているわけではないが、当業者は、処理サブシステム７２が、ここで説明したマクロノード６６の機能性のいくつか又は全てを遂行するための適切なソフトウェア及び／又はファームウェアでプログラミングされた、１つ又は複数の汎用の又は特殊目的のマイクロプロセッサ又は他のマイクロコントローラを含むことを理解するであろう。それに加えて又はその代わりに、処理サブシステム７２は、ここで説明したマクロノード６６の機能性のいくつか又は全てを遂行するために構成される種々のデジタルハードウェアブロック（例えば、１つ以上のＡＳＩＣ（Application  Specific  Integrated  Circuits）、１つ以上の既製のデジタル及びアナログハードウェアコンポーネント、又はそれらの組合せ）を含み得る。
【００４６】
図１５は、本開示の１つの実施形態に係る、フェムトノード７４のブロック図である。フェムトノード７４は、図１０のフェムトノード３２、又は図１１のフェムトノード４８であってよい。フェムトノード７４は、送受信サブシステム７６、ノード間通信インタフェース７８及び処理サブシステム８０を含む。送受信サブシステム７６は、概して、フェムトノード７４のフェムトセルの範囲内の加入者との間で通信信号を送受信するための、アナログの、及びいくつかの実施形態ではデジタルのコンポーネント群を含む。ノード間通信インタフェース７８は、概して、他のノード（即ち、マクロノード、並びにいくつかの実施形態では隣接するピコノード及び／又は隣接するフェムトノード）との間で通信信号を送受信するための、アナログの、及びいくつかの実施形態ではデジタルのコンポーネント群を含む。通信プロトコルの視点からは、送受信サブシステム７６及びノード間通信インタフェース７８は、少なくともレイヤ１（即ち、物理あるいは“ＰＨＹ”レイヤ）の一部を実装する。処理サブシステム８０は、概して、レイヤ１の任意の残りの部分に加えて、無線通信プロトコルの上位レイヤのための機能（例えば、レイヤ２（データリンクレイヤ）、レイヤ３（ネットワークレイヤ）など）を実装する。当然ながら、機能的なプロトコルレイヤの各々、よって送受信サブシステム７６、ノード間通信インタフェース７８、及び処理サブシステム８０についての詳細な動作は、特定の実装に加えてフェムトノード７４によりサポートされる１つ以上の標準の双方に依存して変わるであろう。いくつかの実施形態では、処理サブシステム８０は、概して、上で説明したように、スケジューリングインスタントを、ダウリンクにおけるＡＢＳに対応するアップリンクにおけるサブフレームと時間的に合わせ、及び／又は、ダウンリンクにおけるスケジューリングインスタントを、ダウンリンクにおけるＡＢＳと時間的に合わせるように動作する。
【００４７】
当業者は、フェムトノード７４のブロック図が、本開示の完全な理解のために必要ではない数多くの特徴をやむを得ず省略していることを理解するであろう。例えば、処理サブシステム８０の詳細の全てが図示されているわけではないが、当業者は、処理サブシステム８０が、ここで説明したフェムトノード７４の機能性のいくつか又は全てを遂行するための適切なソフトウェア及び／又はファームウェアでプログラミングされた、１つ又は複数の汎用の又は特殊目的のマイクロプロセッサ又は他のマイクロコントローラを含むことを理解するであろう。それに加えて又はその代わりに、処理サブシステム８０は、ここで説明したフェムトノード７４の機能性のいくつか又は全てを遂行するために構成される種々のデジタルハードウェアブロック（例えば、１つ以上のＡＳＩＣ、１つ以上の既製のデジタル及びアナログハードウェアコンポーネント、又はそれらの組合せ）を含み得る。
【００４８】
図１６は、本開示の１つの実施形態に係る、ＵＥ８２のブロック図である。ＵＥ８２は、図１、図１０及び図１１のＵＥのうちの任意のものであってよい。ＵＥ８２は、送受信サブシステム８４及び処理サブシステム８６を含む。送受信サブシステム８４は、概して、マクロノード、フェムトノード又はピコノードとの間で通信信号を送受信するための、アナログの、及びいくつかの実施形態ではデジタルのコンポーネント群を含む。通信プロトコルの視点からは、送受信サブシステム８４は、少なくともレイヤ１（即ち、物理あるいは“ＰＨＹ”レイヤ）の一部を実装する。処理サブシステム８６は、概して、レイヤ１の任意の残りの部分に加えて、無線通信プロトコルの上位レイヤのための機能（例えば、レイヤ２（データリンクレイヤ）、レイヤ３（ネットワークレイヤ）など）を実装する。当然ながら、機能的なプロトコルレイヤの各々、よって送受信サブシステム８４及び処理サブシステム８６についての詳細な動作は、特定の実装に加えてＵＥ８２によりサポートされる１つ以上の標準の双方に依存して変わるであろう。
【００４９】
当業者は、ＵＥ８２のブロック図が、本開示の完全な理解のために必要ではない数多くの特徴をやむを得ず省略していることを理解するであろう。例えば、処理サブシステム８６の詳細の全てが図示されているわけではないが、当業者は、処理サブシステム８６が、ここで説明したＵＥ８２の機能性のいくつか又は全てを遂行するための適切なソフトウェア及び／又はファームウェアでプログラミングされた、１つ又は複数の汎用の又は特殊目的のマイクロプロセッサ又は他のマイクロコントローラを含むことを理解するであろう。それに加えて又はその代わりに、処理サブシステム８６は、ここで説明したＵＥ８２の機能性のいくつか又は全てを遂行するために構成される種々のデジタルハードウェアブロック（例えば、１つ以上のＡＳＩＣ、１つ以上の既製のデジタル及びアナログハードウェアコンポーネント、又はそれらの組合せ）を含み得る。
【００５０】
本開示を通じて、以下の略語が使用されている。
ＡＢＳ        Almost  Blank  Subframe
ＡＲＱ        Automatic  Repeat  Request
ＡＳＩＣ      Application  Specific  Integrated  Circuit
ＢＳ          Base  Station
ＣＲＳ        Common,  or  Cell-Specific,  Reference  Signal
ＣＳＧ        Closed  Subscriber  Group
ｄＢｍ        Decibel-Milliwatt
ＤＣＩ        Downlink  Control  Information  
ＤＬ          Downlink
ＨｅｔＮｅｔ  Heterogeneous  Network
ＬＰ          Low  Power
ＬＰＮ        Low  Power  Node
ＬＴＥ        Long  Term  Evolution
ＰＣＦＩＣＨ  Physical  Control  Format  Indicator  Channel
ＰＤＣＣＨ    Physical  Downlink  Control  Channel
ＰＤＳＣＨ    Physical  Downlink  Shared  Channel
ＰＨＩＣＨ    Physical  Hybrid-ARQ  Indicator  Channel
ＰＳ          Persistent  Scheduling
ＱｏＳ        Quality-of-Service
ＲＥ          Range  Extension
ＲＲＣ        Radio  Resource  Control
ＲＳＲＰ      Reference  Signal  Received  Power
ＲＳＳ        Received  Signal  Strength
ＳＰＳ        Semi-Persistent  Scheduling
ＴＴＩ        Transmit  Time  Interval
ＵＥ          User  Equipment  Device
ＵＬ          Uplink
【００５１】
当業者は、本開示の好適な実施形態についての改善及び修正を認識するであろう。全てのそうした改善及び修正は、ここで開示された概念及び後続の請求項の範囲内であると見なされる。
【図１】
2015500584.tif 000003
【図２】
2015500584.tif 000004
【図３】
2015500584.tif 000005
【図４】
2015500584.tif 000006
【図５】
2015500584.tif 000007
【図６】
2015500584.tif 000008
【図７】
2015500584.tif 000009
【図８】
2015500584.tif 000010
【図９】
2015500584.tif 000011
【図１０】
2015500584.tif 000012
【図１１】
2015500584.tif 000013
【図１２】
2015500584.tif 000014
【図１３】
2015500584.tif 000015
【図１４】
2015500584.tif 000016
【図１５】
2015500584.tif 000017
【図１６】
2015500584.tif 000018
【国際調査報告】
2015500584.tif 000019
2015500584.tif 000020
2015500584.tif 000021
2015500584.tif 000022